(57)【要約】【課題】様々な機能を持たせた識別コードシールを提供する。【解決手段】複数枚積層され、識別コード１０１がそれぞれに表示された粘着シート（１０３、１０５、１０７、１０９）を備え、粘着シート（１０３、１０５、１０７、１０９）のそれぞれは、積層領域からはみ出したタブ部（１１１、１１３、１１５、１１７）を備え、粘着シートのそれぞれのタブ部（１１１、１１３、１１５、１１７）は、粘着シートが積層された状態で視認できる識別コードシールを提供する。【選択図】図１
2020165999.tif 000002
【特許請求の範囲】
【請求項１】
複数枚積層され、識別コードがそれぞれに表示された粘着シートを備え、
前記粘着シートのそれぞれは、積層領域からはみ出したタブ部を備え、
前記粘着シートのそれぞれの前記タブ部は、前記粘着シートが積層された状態で視認できる識別コードシール。
【請求項２】
前記タブ部は、前記粘着シートの積層数に対応した数字が記載され、前記粘着シートを剥がした回数を識別できる請求項１に記載の識別コードシール。
【請求項３】
前記粘着シートのそれぞれに表示された識別コードは、他の前記粘着シートに表示された識別コードと異なる、請求項１または２に記載の識別コードシール。
【請求項４】
前記粘着シートは、４枚積層される、請求項１乃至３のいずれか１項に記載の識別コードシール。
【請求項５】
前記識別コードは、１次元バーコードまたは２次元バーコードである、請求項１乃至４のいずれか１項に記載の識別コードシール。
【請求項６】
第１乃至第４の粘着シートが下から順に積層され、
前記識別コードは、２次元バーコードであり、
前記第１乃至第４の粘着シートの識別コードは、何枚目かを識別するコードのみが異なる識別コードシールであって、
第１の領域は、前記第１乃至第４の粘着シートで同じパターンの領域であり、第２の領域は、前記第１の粘着シートと異なるパターンで、前記第２乃至第４の粘着シートで同じパターンの領域であり、第３及び第４の領域は、前記第２の領域を２つに分けた領域であり、
前記第１の粘着シートは、前記第１の領域において、白又は黒のパターンで表示され、
前記第２乃至第４の粘着シートは、前記第１の領域において、透明領域で表示され、
前記第２の粘着シートは、前記第２の領域において、白又は黒のパターンで表示され、
前記第３の粘着シートは、前記第３の領域において、透明領域で表示され、前記第４の領域において、白又は黒のパターンで表示され、
前記第４の粘着シートは、前記第３の領域において、白又は黒のパターンで表示され、
前記第４の領域において、透明領域で表示される、請求項１乃至５のいずれか１項に記載の識別コードシール。
【請求項７】
少なくとも一の前記粘着シートは、温度、湿度、油または硫化水素の環境を検知して変色するシートであり、
前記一の粘着シートの前記識別コードは、検知する環境が記録される、請求項１乃至５のいずれか１項に記載の識別コードシール。
【発明の詳細な説明】
【技術分野】
【０００１】
本発明は、複数枚積層され、識別コードがそれぞれに表示された粘着シートを備える識別コードシールに関する。
【背景技術】
【０００２】
１次元バーコードまたは２次元バーコードの識別コードが表示された粘着シートを備える識別コードシールを用いて、識別コードシールが貼付された物品を識別することがなされている。特許文献１においては、第１の面のシートと第２の面のシートを重ね、それぞれの面に対応する読取情報の識別情報を記憶することがなされている。
【先行技術文献】
【特許文献】
【０００３】
【特許文献１】特開２０１８−５５５２９号公報
【発明の概要】
【発明が解決しようとする課題】
【０００４】
しかしながら、１次元バーコードまたは２次元バーコードは、コードリーダに読み込ませて初めて解読できるものであり、識別コードシールを一見しただけは、どのような情報が含まれているのかを理解することはできなかった。そこで、本発明は、複数枚積層され、識別コードが表示された粘着シートにタブ部を設け、タブ部に様々な情報を付加することを課題の一とする。
【課題を解決するための手段】
【０００５】
本発明の識別コードシールは、複数枚積層され、識別コードがそれぞれに表示された粘着シートを備え、前記粘着シートのそれぞれは、積層領域からはみ出したタブ部を備え、前記粘着シートのそれぞれの前記タブ部は、前記粘着シートが積層された状態で視認できることを特徴とする。
【発明の効果】
【０００６】
上記の態様によれば、粘着シートにタブ部を設け、タブ部に様々な情報を付加することができる。
【図面の簡単な説明】
【０００７】
【図１】本発明の第１の実施の形態に係る識別コードシールの概略図である。
【図２】本発明の第１の実施形態に係る識別コードシールの使用例を示す図である。
【図３】本発明の第１の実施形態に係る識別コードシールの別の使用例を示す図である。
【図４】本発明の第２の実施形態に係る識別コードシールの重ね合わせの分解図である。
【図５ａ】本発明の第３の実施形態に係る識別コードシールの２次元コードの表示例を示す図である。
【図５ｂ】本発明の第３の実施形態に係る識別コードシールの２次元コードで４枚一致する領域を示す図である。
【図５ｃ】本発明の第３の実施形態に係る識別コードシールの２次元コードで４枚一致する領域において３枚を透明領域にすることを示す図である。
【図５ｄ】本発明の第３の実施形態に係る識別コードシールの２次元コードで３枚一致する領域を示す図である。
【図５ｅ】本発明の第３の実施形態に係る識別コードシールの２次元コードで３枚一致する領域を２つに分けることを示す図である。
【図５ｆ】本発明の第３の実施形態に係る識別コードシールの２次元コードで４枚一致する領域において３枚を透明領域にし、３枚一致する領域において２枚を透明領域にすることを示す図である。
【図５ｇ】本発明の第３の実施形態に係る識別コードシールの重ね合わせの分解図である。
【図６】本発明の第４の実施形態に係る識別コードシールの粘着シールの変色することを示す図である。
【発明を実施するための形態】
【０００８】
以下、本発明を実施するための様々な実施の形態を、図面を参照して説明する。要点の説明または理解の容易性を考慮して、異なる図面で便宜上符号を変えてあるいは同一にして示す。実施の形態２以降では、実施の形態１と要点の説明または理解の容易性を考慮して、便宜上実施の形態を分けて示すが、異なる実施の形態で示した構成の部分的な置換または組み合わせは可能である。また、実施の形態２以降では、実施の形態１と共通の事柄についての記述を省略し、異なる点についてのみ説明する。特に同様の構成による同様の作用効果については、実施の形態毎には逐次言及しないものとする。
【０００９】
（第１の実施形態）
図１は、本発明の第１の実施の形態に係る識別コードシールの概略図である。図２は、本発明の第１の実施形態に係る識別コードシールの使用例を示す図である。図３は、本発明の第１の実施形態に係る識別コードシールの別の使用例を示す図である。図１乃至図３を参照して、第１の実施形態について説明する。
【００１０】
（識別コードシール）
図１に示すように、本発明の識別コードシールは、識別コード１０１がそれぞれに表示された第１の粘着シート１０３、第２の粘着シート１０５、第３の粘着シート１０７、第４の粘着シート１０９が、下から順に積層される。
【００１１】
識別コード１０１は、１次元バーコード、２次元バーコードなど他の物と識別するためのコードである。識別コード１０１は、他の物と識別できる数字、テキストデータなどの情報を書き込んでもよい。
【００１２】
第１乃至第４の粘着シートは、繰り返し貼ったり剥がしたりできる粘着性を有する。粘着シートは粘着シート同士だけでなく、プラスチック、ビニール、金属など他の物体に貼り付けられる。
【００１３】
また、第１の粘着シート１０３は、積層領域からはみ出した第１のタブ部１１１を備える。第２の粘着シート１０５は、積層領域からはみ出した第２のタブ部１１３を備える。第３の粘着シート１０７は、積層領域からはみ出した第３のタブ部１１５を備える。第４の粘着シート１０９は、積層領域からはみ出した第４のタブ部１１７を備える。このように粘着シートのそれぞれは、積層領域からはみ出したタブ部を備える。
【００１４】
第１乃至第４のタブ部は、それぞれ情報が記載される。例えば、粘着シートの積層数に対応した数字が記載され、第１のタブ部１１１は４、第２のタブ部１１３は３、第３のタブ部１１５は２、第４のタブ部１１７は１が記載される。タブ部に記載される数字は例示であり、識別できればいくつでもよい。
【００１５】
また、第１乃至第４のタブ部の色は、それぞれ変えられている。例えば、第１のタブ部１１１は水色、第２のタブ部１１３は緑色、第３のタブ部１１５は黄色、第４のタブ部１１７はオレンジ色である。識別コード外周の粘着シートの色もそれぞれタブ部と同じ色にされてもよい。タブ部の色は例示であり、識別できれば何色であってもよい。
【００１６】
１次元コード及び２次元コードは、正方形または長方形の四角形で表される。したがって、タブ部がこの四角形の角部にそれぞれ与えられると、粘着シートが積層された状態で視認できる。
【００１７】
ここでは、第１乃至４の粘着シールが四角形の場合を示したが、識別コードが四角形でも、粘着シートを５角形、６角形、７角形、８角形とし、その角部にタブ部が与えられると、粘着シートは５枚、６枚、７枚、８枚と複数枚積層できる。
【００１８】
このように、本実施形態によると、タブ部の数字を見ることで、何枚目の粘着シートが一番上にあるか即座に視認できる。また、タブ部を含めた粘着シートの色を見ることで、何枚目の粘着シートが一番上にあるか即座に視認できる。
【００１９】
（使用例１）
図２を参照して、本発明の識別コードシールの一使用例を説明する。本使用例は、制御盤の回路機器に識別コードシールを貼付する。制御盤２０５は、ダクト２０７と回路機器２０９、２１１、２１３を備える。図２の識別コードシール２０１は、一番上の粘着シート２０３を剥がしたものである。
【００２０】
識別コードシール２０１は、制御盤２０５に配置された回路機器２０９に貼付される。剥がされた粘着シート２０３は、例えば、回路機器２０９の傍のダクト２０７上に貼付される。識別コードシール２０１は、例えばメンテナンスがあるたびに剥がされ、回路機器２０９の傍のダクト２０７に貼られる。本使用例のように粘着シート２０３が１枚、ダクト２０７に貼られることで、１度メンテナンスがあったことがわかる。
【００２１】
回路機器２１１、２１３にもそれぞれ識別コードシールが貼られ、粘着シートが１枚剥がされ、メンテナンスがあると回路機器２１１、２１３のそれぞれの傍のダクトに貼られる。このようにすることで、それぞれの回路機器でメンテナンスがあった回数がわかる。回路機器２１１から２１３のそれぞれでメンテナンスがあった回数がわかることで、制御盤全体の運用ができる。
【００２２】
また、識別コードを読むコードリーダは、識別コードに応じた内容を記憶して表示する機能または無線または有線接続でサーバから情報を引き出して表示する機能がある。コードリーダはアプリがインストールされ、識別コードと記録情報をひも付けることもできる。
【００２３】
メンテナンスをする人が、貼られた識別コードをリーダで読むことで、回路機器の注意点、メンテナンスの注意点を表示できる。また、アプリ上で識別コードと記録情報をひも付けることで制御盤全体の運用が表示できる。
【００２４】
本使用例により、識別コードシールを貼付した回路機器のメンテナンス回数を即座に視認できる。また、本使用例は、コードリーダを用いて回路機器の注意点、制御盤全体の運用、メンテナンスの注意点等を表示できる。
【００２５】
（使用例２）
図３を参照して、本発明の識別コードシールの他の使用例を説明する。本使用例は、制御盤の回路機器に識別コードシールを貼付する。回路機器のある領域を区切り、制御盤の蓋に回路機器のある領域と対応させて剥がした粘着シートを貼り付ける領域を設ける。
【００２６】
制御盤３０１は、領域ＡからＨまでの回路領域とダクト３０３を有する。また、制御盤３０１は、蓋３０５を備え、回路領域ＡからＨに対応する貼付領域ＡからＨを備える。例えば、回路領域Ａに貼付された識別コードシールを剥がした後、対応する蓋３０５の貼付領域Ａに粘着シート３０７を貼付する。
【００２７】
回路領域Ａの識別コードシールは、メンテナンスがあるたびに剥がされ、対応する蓋３０５の貼付領域Ａに貼られる。例えば粘着シート３０７が１枚、蓋の領域Ａに貼られることで、１度メンテナンスがあったことがわかる。
【００２８】
回路領域ＢからＨまでにもそれぞれ識別コードシールが貼られ、粘着シートが１枚剥がされ、メンテナンスがあると対応する蓋の貼付領域ＢからＨのそれぞれに貼られる。このようにすることで、それぞれの回路領域でメンテナンスがあった回数がわかる。
【００２９】
回路領域ＡからＨのそれぞれでメンテナンスがあった回数がわかることで、制御盤全体の運用ができる。また、コードリーダのアプリ上で識別コードと記録情報をひも付けることで制御盤全体の運用が表示できる。
【００３０】
また、アプリ上で回路領域Ａの写真を撮り、識別コードとひも付け、注意事項を記入することで、次回識別コードを読み込んだときにメンテナンスの注意事項を絵付きで表示できる。このように、貼られた識別コードをコードリーダで読むことで、回路機器の注意点、メンテナンスの注意点を表示できる。
【００３１】
本使用例により、識別コードシールを貼付した回路機器のメンテナンス回数を即座に視認できる。また、本使用例は、コードリーダを用いて回路機器の注意点、制御盤全体の運用、メンテナンスの注意点等を表示できる。
【００３２】
（第２の実施形態）
図４は、本発明の第２の実施形態に係る識別コードシールの重ね合わせの分解図である。図４を参照して、本発明の第２の実施形態を説明する。第２の実施形態は、第１の実施形態と、それぞれの識別コードが異なる点で異なる。
【００３３】
第１の粘着シート４０１は、２次元バーコードである識別コード４０９を備える。第２の粘着シート４０３は、２次元バーコードである識別コード４１１を備える。第３の粘着シート４０５は、２次元バーコードである識別コード４１３を備える。第４の粘着シート４０７は、２次元バーコードである識別コード４１５を備える。
【００３４】
ここで、識別コード４０９、４１１、４１３及び４１５はそれぞれ異なる。すなわち記録されている情報が全て異なる。このようにすることで、識別コードにもメンテナンス回数などを記録できる。それぞれの粘着シートの識別コードがすべて異なるだけでなく、一部の粘着シートの識別コードが一致していてもよい。
【００３５】
本実施形態により、粘着シートの識別コードが使用される状況で必要な情報が記録される。本実施形態は、使用例１及び使用例２と組み合わせることで、メンテナンス回数に応じた注意点、運用方法を表示できる。本実施形態は、４枚積層する例を示したが、これに限定されず２枚、３枚、５枚、６枚など複数枚の積層に適用できる。
【００３６】
（第３の実施形態）
図５ａは、本発明の第３の実施形態に係る識別コードシールの２次元コードの表示例を示す図である。図５ｂは、本発明の第３の実施形態に係る識別コードシールの２次元コードで４枚一致する領域を示す図である。
【００３７】
図５ｃは、本発明の第３の実施形態に係る識別コードシールの２次元コードで４枚一致する領域において３枚を透明領域にすることを示す図である。図５ｄは、本発明の第３の実施形態に係る識別コードシールの２次元コードで３枚一致する領域を示す図である。
【００３８】
図５ｅは、本発明の第３の実施形態に係る識別コードシールの２次元コードで３枚一致する領域を２つに分けることを示す図である。図５ｆは、本発明の第３の実施形態に係る識別コードシールの２次元コードで４枚一致する領域において３枚透明領域にし、３枚一致する領域において２枚を透明領域にすることを示す図である。
【００３９】
図５ｇは、本発明の第３の実施形態に係る識別コードシールの重ね合わせの分解図である。図５ａ乃至５ｇを参照して、本発明の第３の実施形態を説明する。第３の実施形態は、第１の実施形態と、積層数の表示のみが異なる識別コードが、積層されている点で異なる。第３の実施形態を第１と第２の段階に分けて説明する。
【００４０】
図５ａに示すように、下から順に第１の粘着シート５０１、第２の粘着シート５０３、第３の粘着シート５０５、第４の粘着シート５０７が積層される。第１の粘着シート５０１は、２次元バーコードである識別コード５０９が表示される。第２の粘着シート５０３は、２次元バーコードである識別コード５１１が表示される。第３の粘着シート５０５は、２次元バーコードである識別コード５１３が表示される。第４の粘着シート５０７は、２次元バーコードである識別コード５１５が表示される。識別コード５０９、５１１、５１３、５１５がそれぞれの粘着シートで表示したい識別コードである。
【００４１】
第１の段階を説明する。識別コード５０９、５１１、５１３、５１５は、積層数の表示のみが異なる。したがって、図５ｂに示すように、識別コード５０９、５１１、５１３、５１５は、２次元バーコードの大部分の第１の領域５１７で一致する。すなわち第１の領域５１７は、白又は黒のパターンが同じである。
【００４２】
図５ｃに示すように、第２乃至第４の粘着シートの第１の領域５１７を透明にする。第１の粘着シート５０１は、白又は黒のパターンの識別コード５０９で表示される。第２の粘着シート５０３は、透明領域５１９と白又は黒のパターンの領域５２５で表示される。
【００４３】
第３の粘着シート５０５は、透明領域５２１と白又は黒のパターンの領域５２７で表示される。第４の粘着シート５０７は、透明領域５２３と白又は黒のパターンの領域５２９で表示される。
【００４４】
このようにして、第１乃至第４の粘着シートを積層すると、第１の粘着シートの白又は黒のパターンが、浮き上がるためいずれの第１乃至第４の粘着シートの積層状態でも正しい識別コードを読み取れる。
【００４５】
次に第２の段階を説明する。ここで、図５ｄに示すように、第２乃至第４の粘着シートは、第２の領域５３１で一致する。次に図５ｅに示すように、この第２の領域５３１を第３の領域５３３と第４の領域５３５の２つの領域に分ける。
【００４６】
図５ｆに示すように、第１の粘着シート５０１の識別コード５０９は、白又は黒のパターンで表示される。第２の粘着シート５０３の識別コード５１１は、透明領域５１９と白又は黒のパターンの領域５２５で表示される。第２の粘着シート５０３の透明領域５１９は、第１の領域５１７である。
【００４７】
第３の粘着シート５０５は、透明領域５３７と白又は黒のパターンの領域５４１で表示される。第３の粘着シート５０５の透明領域５３７は、第１の領域５１７と第３の領域５３３を足したものである。すなわち、第３の粘着シート５０５は、第１の領域５１７において、透明領域で表示され、第３の領域５３３において透明領域で表示され、第４の領域５３５において白又は黒のパターンで表示される。
【００４８】
第４の粘着シート５０７は、透明領域５３９と白又は黒のパターンの領域５４３で表示される。第４の粘着シート５０７の透明領域５３９は、第１の領域５１７と第４の領域５３５を足したものである。すなわち、第４の粘着シート５０７は、第１の領域５１７において、透明領域で表示され、第３の領域５３３において白又は黒のパターンで表示され、第４の領域５３５において透明領域で表示される。
【００４９】
この第２の段階が終了したときである図５ｆの状態が、第３の実施形態の粘着シートの構成例である。
【００５０】
図５ｇに示すように、第１の粘着シート５０１、第２の粘着シート５０３、第３の粘着シート５０５及び第４の粘着シート５０７を順に積層する。第４の粘着シート５０７が積層されているとき、第１の粘着シート５０１の白又は黒のパターンが浮き上がり、第２の粘着シート５０３の白又は黒のパターンが浮き上がるため、正しい識別コードを読み取れる。
【００５１】
次に第４の粘着シート５０７が剥がされ、第３の粘着シート５０５が積層されているとき、第１の粘着シート５０１の白又は黒のパターンが浮き上がり、第２の粘着シート５０３の白又は黒のパターンが浮き上がるため、正しい識別コードを読み取れる。
【００５２】
次に第３の粘着シート５０５が剥がされ、第２の粘着シート５０３が積層されているとき、第１の粘着シート５０１の白又は黒のパターンが浮き上がるため正しい識別コードを読み取れる。第１の粘着シート５０１は、白又は黒のパターンの識別コード５０９が表示されている。このように、すべての積層状態で、正しい識別コードが表示される。
【００５３】
このようにすることで、第１乃至第４の粘着シートの識別コードは全て異なる表示がされる。これらの識別コードを積層前に記憶しておき、第２乃至第４の粘着シートを剥がしたときに読み込むことで、真贋を判定できる。
【００５４】
本実施形態により、識別コードシールを貼付した物品の真贋判定ができる。本実施形態は４枚積層する例を示したが、３枚目以降の粘着シートの２分した透明領域を３つ、４つ、５つ、６つと分けることで、５枚、６枚、７枚、８枚と積層できる。
【００５５】
（第４の実施形態）
図６は、本発明の第４の実施形態に係る識別コードシールの粘着シールが変色することを示す図である。図６を参照して本発明の第４の実施形態を説明する。
【００５６】
第４の実施形態は、第１の実施形態と、それぞれの粘着シートに環境に応じて変色する機能を付加する点で異なる。例えば、第４の粘着シートには、不可逆性温度シールを用いる。例えば、オレンジ色の第４の粘着シート６０１が高温状態を経た場合、茶色の第４の粘着シート６０３に変化する。
【００５７】
同様に、例えば、第１の粘着シートには、硫化水素試験紙を用いる。例えば、水色の第１の粘着シートが、空気中の硫化物イオンＳ２−や硫化水素Ｈ２Ｓに触れた場合、紫色の第１の粘着シート６０７に変化する。
【００５８】
不可逆性温度シールや硫化水素試験紙以外にも湿度試験紙や油試験紙を用いることができる。湿度試験紙は、高湿状態を経たことを検知できる。油試験紙は、雰囲気に油があったことを検知できる。積層状態でそれぞれの粘着シートのタブ部は視認できるため、それぞれの粘着シートに異なる機能を持たせた場合、粘着シートを剥がさなくても識別コードシールが経た環境を複数識別できる。
【００５９】
また、それぞれの識別コードに粘着シートが有している機能を記録することで、コードリーダで識別コードを読み込んだときにどのような機能シールなのかリーダのモニタに表示できる。さらに、コードリーダが、機能を判定しつつ、粘着シートの色を撮影し、判定することで、コードリーダに識別コードシールが経た環境を表示できる。
【００６０】
本実施形態により、識別コードシールの貼られた物品が経た環境を知ることができる。本実施形態は、粘着シートを４枚積層に限定されず、２枚、３枚、５枚、６枚と複数枚の積層に適用できる。
【００６１】
上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【産業上の利用可能性】
【００６２】
本発明は、制御盤のメンテナンスに用いることができる。また、流通している物品の真贋判定に用いることができる。また、さまざまな環境を経る機器の製造工程に用いることができる。
【符号の説明】
【００６３】
１０１  識別コード
１０３  第１の粘着シート
１０５  第２の粘着シート
１０７  第３の粘着シート
１０９  第４の粘着シート
１１１  第１のタブ部
１１３  第２のタブ部
１１５  第３のタブ部
１１７  第４のタブ部
２０１  識別コードシール
２０３  粘着シート
２０５  制御盤
２０７  ダクト
２０９  回路機器
２１１  回路機器
２１３  回路機器
３０１  制御盤
３０３  ダクト
３０５  蓋
３０７  粘着シート
４０１  第１の粘着シート
４０３  第２の粘着シート
４０５  第３の粘着シート
４０７  第４の粘着シート
４０９  識別コード
４１１  識別コード
４１３  識別コード
４１５  識別コード
５０１  第１の粘着シート
５０３  第２の粘着シート
５０５  第３の粘着シート
５０７  第４の粘着シート
５０９  識別コード
５１１  識別コード
５１３  識別コード
５１５  識別コード
５１７  第１の領域
５１９  透明領域
５２１  透明領域
５２３  透明領域
５２５  白又は黒のパターンの領域
５２７  白又は黒のパターンの領域
５２９  白又は黒のパターンの領域
５３１  第２の領域
５３３  第３の領域
５３５  第４の領域
５３７  透明領域
５３９  透明領域
５４１  白又は黒のパターンの領域
５４３  白又は黒のパターンの領域
６０１  オレンジ色の第４の粘着シート
６０３  茶色の第４の粘着シート
６０５  水色の第１の粘着シート
６０７  紫色の第１の粘着シート
【図１】
2020165999.tif 000003
【図２】
2020165999.tif 000004
【図３】
2020165999.tif 000005
【図４】
2020165999.tif 000006
【図５ａ】
2020165999.tif 000007
【図５ｂ】
2020165999.tif 000008
【図５ｃ】
2020165999.tif 000009
【図５ｄ】
2020165999.tif 000010
【図５ｅ】
2020165999.tif 000011
【図５ｆ】
2020165999.tif 000012
【図５ｇ】
2020165999.tif 000013
【図６】
2020165999.tif 000014